(57)【要約】【課題】  不正行為具を使った擬似的なメダル投入を検知してかかる不正行為を防止する遊技機を提供する。【解決手段】  投入されたメダルを検出し貯留するスロットマシン等の遊技機であって、メダル数を監視する監視装置が設けられ、一定時間以内に現実には投入不可能な数のメダルを検出したとき異常報知する。これにより、擬似的なメダル投入による不正行為を防止する。【選択図】  図１６
2005296271.tif 000002
【特許請求の範囲】
【請求項１】
投入された遊技媒体を検出する検出部を有する遊技機であって、
前記検出部が遊技媒体を検出して発行する検出信号が遊技媒体の実際の投入によるものか否か真偽を判別する判別手段を備え、
前記判別手段は、前記検出部により所定時間内に所定数以上の前記検出信号が発行されたとき、当該時間内に発行された前記検出信号を偽と判別し異常としてこれを検知することを特徴とする遊技機。
【請求項２】
投入された遊技媒体を検出する検出部を有する遊技機であって、
前記検出部が遊技媒体を検出して発行する検出信号が遊技媒体の実際の投入によるものか否か真偽を判別する判別手段を備え、
前記判別手段は、前記検出部により所定時間内に連続して２以上の前記検出信号が発行されたとき、当該検出信号を偽と判別し異常としてこれを検知することを特徴とする遊技機。
【請求項３】
前記判別手段が異常を検知したとき、当該異常を報知する報知手段を更に備えることを特徴とする請求項１又は２に記載の遊技機。
【請求項４】
前記判別手段が異常を検知したとき、遊技停止の処理を実行する遊技停止手段を更に備えることを特徴とする請求項３に記載の遊技機。
【請求項５】
投入された遊技媒体を検出する検出部を有する遊技機における異常検知方法であって、
所定時間内に所定数以上の遊技媒体を前記検出部が検出したとき、異常としてこれを検知することを特徴とする異常検知方法。
【請求項６】
投入された遊技媒体を検出する検出部を有する遊技機における異常検知方法であって、
所定時間内に連続して２枚以上の遊技媒体を前記検出部が検出したとき、異常としてこれを検知することを特徴とする異常検知方法。
【発明の詳細な説明】
【技術分野】
【０００１】
本発明は、円板形状の遊技媒体（メダル）を使って遊技を行うスロットマシン、パチンコ機その他の遊技機に関し、特に不正行為を防止するための対策が講じられた遊技機に関する。
【背景技術】
【０００２】
円板形状の遊技媒体（以下、「メダル」という。）を使用して遊技を行うスロットマシン等の遊技機においては、投入されるメダルの適否を判別するメダル選別装置が遊技機本体内に備えられている（例えば、特許文献１参照）。
【０００３】
図１を参照し、メダル選別装置９００は、メダル入口９０１から投入されるメダルＭが正規のものか否か判別するセレクト機構９０２と、案内通路９０３を流下するメダルＭを通過又は排除するゲート機構９０４と、ゲート機構９０４を通過したメダルＭを検出するメダル検出部９０５が設けられている。
【０００４】
待機状態にある遊技機に正規のメダルが投入されると、遊技機の制御部は、メダル検出部９０５からの検出信号を受信し記憶手段に記憶させる。これにより、実際に投入されたメダルの数を遊技者が使用可能なクレジットとして電子的に内部貯留する。
【０００５】
【特許文献１】特開２００１−１５５２２３号公報
【発明の開示】
【発明が解決しようとする課題】
【０００６】
ところで、近年、発光素子を使用してメダル検出部９０５を誤作動させ擬似的なメダル投入を作り出し上記クレジットを不正に加算させる不正行為具が遊技者の間に出回っている。この不正行為具を使用すれば、短時間に多数のクレジットを加算することができるため、ホール（遊技場）に多大な損害を与えるばかりでなく、かかる不正行為の発見も難しかった。
【０００７】
本発明は、こうした従来の問題に鑑みてなされたものであり、例えば不正行為具を使った擬似的なメダル投入を検知することで、かかる不正行為を防止する等の遊技機を提供することを目的としている。
【課題を解決するための手段】
【０００８】
上述した課題を解決するため、請求項１に記載の発明は、投入された遊技媒体を検出する検出部を有する遊技機であって、前記検出部が遊技媒体を検出して発行する検出信号が遊技媒体の実際の投入によるものか否か真偽を判別する判別手段を備え、前記判別手段は、前記検出部により所定時間内に所定数以上の前記検出信号が発行されたとき、当該時間内に発行された前記検出信号を偽と判別し異常としてこれを検知することを特徴とする。
【０００９】
請求項２に記載の発明は、投入された遊技媒体を検出する検出部を有する遊技機であって、前記検出部が遊技媒体を検出して発行する検出信号が遊技媒体の実際の投入によるものか否か真偽を判別する判別手段を備え、前記判別手段は、前記検出部により所定時間内に連続して２以上の前記検出信号が発行されたとき、当該検出信号を偽と判別し異常としてこれを検知することを特徴とする。
【００１０】
請求項３に記載の発明は、請求項１又は２に記載の遊技機であって、前記判別手段が異常を検知したとき、当該異常を報知する報知手段を更に備えることを特徴とする。
【００１１】
請求項４に記載の発明は、請求項３に記載の遊技機であって、前記判別手段が異常を検知したとき、遊技停止の処理を実行する遊技停止手段を更に備えることを特徴とする。
【００１２】
請求項５に記載の発明は、投入された遊技媒体を検出する検出部を有する遊技機における異常検知方法であって、所定時間内に所定数以上の遊技媒体を前記検出部が検出したとき、異常としてこれを検知することを特徴とする。
【００１３】
請求項６に記載の発明は、投入された遊技媒体を検出する検出部を有する遊技機における異常検知方法であって、所定時間内に連続して２枚以上の遊技媒体を前記検出部が検出したとき、異常としてこれを検知することを特徴とする。
【００１４】
請求項１に記載の遊技機によれば、検出部が所定時間内に所定数以上の検出信号を発行したとき、判別手段は、実際の遊技媒体の投入によらない偽の検出信号であると判別し異常としてこれを検知する。これにより、不正行為具等によって擬似的に遊技媒体を投入する不正行為を検知する。
【００１５】
請求項２に記載の遊技機によれば、検出部が所定時間内に連続して２以上の検出信号を発行したとき、判別手段は、実際の遊技媒体の投入によらない偽の検出信号であると判別し異常としてこれを検知する。これにより、不正行為具等によって擬似的に遊技媒体を投入する不正行為を検知する。
【００１６】
請求項３に記載の遊技機によれば、判別手段が異常を検知したとき、報知手段は当該異常を報知する。これにより、不正行為に対する迅速な対応措置を可能とする。
【００１７】
請求項４に記載の遊技機によれば、判別手段が異常を検知したとき、遊技停止手段は遊技停止の処理を実行する。これにより、不正行為による損害を低く抑えることを可能とする。
【００１８】
請求項５に記載の遊技機における異常検知方法によれば、検出部が所定時間内に所定数以上の遊技媒体を検出したとき、異常としてこれを検知する。これにより、不正行為具等によって擬似的に遊技媒体を投入する不正行為を検知する。
【００１９】
請求項６に記載の遊技機における異常検知方法によれば、検出部が所定時間内に連続して２枚以上の遊技媒体を検出したとき、異常としてこれを検知する。これにより、不正行為具等によって擬似的に遊技媒体を投入する不正行為を検知する。
【発明の効果】
【００２０】
本発明によれば、投入される遊技媒体の数を監視し、実際にはあり得ない数の遊技媒体を所定時間内に検出したとき、異常としてこれを検知する。これにより、例えば不正行為具を使って擬似的に遊技媒体を投入する不正行為を検知しホールの管理者等へ報知することができる。したがって、かかる不正行為に対する迅速な対応処置が可能となり、ひいてはホールの損害を抑えることができる。
【発明を実施するための最良の形態】
【００２１】
本発明の遊技機に係る好適な一実施形態として、スロットマシン（パチスロ機）について、図２及び図３を参照しながら説明する。なお、図２はスロットマシン１の外観構造を表した斜視図、図３はスロットマシン１の内部構造を表した図である。
【００２２】
図２において、スロットマシン１は、箱状の筐体２と、当該筐体２と蝶番機構により開閉可能に取り付けられた前扉３とを備えている。
【００２３】
前扉３の遊技者に面する側は、視覚効果を高めてデザインされたいわゆる化粧板が形成されており、上部パネル部４と下部パネル部５に略区分けされる。上部パネル部４には、高輝度の発光ダイオード等を内部に備え光による演出を行う照明部６と、スピーカを内部に備え演出効果音を発する放音部７ａ、７ｂがそれぞれ配設されている。また、放音部７ａ、７ｂの間には、透明な硬質プラスチック板等が嵌め込まれた略長方形の表示窓８が形成され、表示窓８を通して前扉３の裏面側に配置されている液晶表示ユニットの映像が表示される。
【００２４】
上部パネル部４のほぼ中央には、硬質プラスチックで形成されたパネル板が取り付けられている。パネル板の中央には略長方形の透明な表示窓９が形成されており、表示窓９を通して筐体２内に取り付けられている３個の円筒形状のリール１０ａ、１０ｂ、１０ｃが目視されるようになっている。
【００２５】
ここで、３個のリール１０ａ、１０ｂ、１０ｃはその回転軸方向に一列に並べて配置され、また、それぞれの外周面には複数種類の図柄が描かれている。遊技者は、表示窓９を通して一のリールに描かれた上下方向３個の図柄と、横方向に配列されたリール３列の図柄を目視することができる。そして、遊技者の操作に応じて各リール１０ａ、１０ｂ、１０ｃの回転及び停止の動作が行われ、これにより、表示されるリールの図柄の種類が変更されるようになっている。
【００２６】
また、上部パネル部４のパネル板には、ドットマトリクスＬＥＤ又はランプ等で形成された遊技情報表示部１１が配置されている。遊技情報表示部１１は、例えば、入賞役等への内部当選の状態、スロットマシン１にクレジットされているメダル数、又は入賞によって獲得したメダル数などの遊技状態に関する情報を演出表示する。
【００２７】
上部パネル部４の両側部には、蛍光灯又は高輝度発光ダイオードを備える演出用の照明部１２ａ、１２ｂが設けられている。
【００２８】
下部パネル部５には、遊技者側に向かいながら若干下方に傾斜した平面を有する操作卓が一体的に形成され、メダルを投入するための投入口を有するメダル投入部１３と、押しボタンスイッチであるベットボタン１４と、リール１０ａ、１０ｂ、１０ｃの回転動作を開始させるスタートレバー１５と、回転しているリール１０ａ、１０ｂ、１０ｃをそれぞれ停止させるための押しボタンスイッチであるストップボタン１６ａ、１６ｂ、１６ｃが設けられている。
【００２９】
すなわち、遊技者がベットボタン１４を押圧操作することで当該ゲームに賭けるメダル数を提示しスタートレバー１５を傾倒操作すると各リール１０ａ、１０ｂ、１０ｃが一斉に回転する。この時スロットマシン１は、当該ゲームの入賞に係る役（入賞役）の抽選を内部的な処理により行う。各リール１０ａ、１０ｂ、１０ｃが所定の回転数に達すると、ストップボタン１６ａ、１６ｂ、１６ｃによるリール停止操作が準備完了の状態となる。この状態で遊技者がストップボタン１６ａ、１６ｂ、１６ｃを任意の順序で押圧操作することにより、対応するリールがそれぞれ停止制御される。そして、停止した３個のリール１０ａ、１０ｂ、１０ｃによって表示される図柄が上述の抽選で当選した役に対応する組み合せで有効なライン上に揃うと入賞が確定し、その入賞役の種類に応じた枚数のメダルが遊技者に配当されるようになっている。
【００３０】
下部パネル部５の前面右側には、前扉３を開錠するための鍵が挿入される鍵穴１７が設けられている。スロットマシン１の管理者等が鍵穴１７に所定の鍵を挿入して開錠操作すると、蝶番機構によって筐体２に取り付けられている前扉３を前方へ開くことができ、また前扉３を筐体２側に閉じると、自動的にこれらを施錠するようになっている。
【００３１】
また、下部パネル部５には、スロットマシン１の型式（モデルタイプ）などを遊技者へ認識させるため、登場キャラクターなどの絵を表示するパネル１８が設けられている。
【００３２】
前扉３の下部には、入賞時にメダルを排出するためのメダル排出口１９と、排出されたメダルを貯留する受け皿２０とが設けられている。更にメダル排出口１９に隣接して、スピーカを内蔵する放音部２１が設けられている。
【００３３】
次に、図３を参照して、筐体２の内部構造と前扉３の裏面構造とを説明する。なお、図３は、前扉３を筐体２から開いた状態を表している。同図において、筐体２内の上部には、スロットマシン１の全体動作を集中制御するＣＰＵ（マイコン）を備え硬質プラスチックのケースに収納された主制御基板３０が取り付けられている。
【００３４】
筐体２内の中央には、リール１０ａ、１０ｂ、１０ｃを備えるリールユニット１０が設けられている。リールユニット１０は、前扉３が筐体２側に閉じられると前扉３の表示窓９にリール１０ａ、１０ｂ、１０ｃが対向するように、所定フレームに位置決めされて取り付けられている。なお、各リール１０ａ、１０ｂ、１０ｃは、それぞれに内蔵されたステッピングモータによって回転駆動される。すなわち、主制御基板３０が各リールの１０ａ、１０ｂ、１０ｃのステッピングモータへ駆動パルス信号を送出することで、その信号周期に応じた回転制御を各リール１０ａ、１０ｂ、１０ｃに対して行っている。
【００３５】
リールユニット１０の下方には、ホッパ装置３１と、ホッパ装置３１から溢れたメダルを収容するための補助貯留部３２と、主電源装置３３が設けられている。主電源装置３３の側面には、いわゆる配電盤に相当する電源装置基板３４が設けられている。更に、筐体２の上部右側の内壁に、遊技場に設置されている「ホールコンピュータ」と呼ばれる管理用コンピュータと接続可能な外部集中端子基板３５が取り付けられている。
【００３６】
次に、前扉３の裏面側上部には、照明部６の光源である高輝度の発光ダイオード４１が複数配列されると共に、上述の放音部７ａ、７ｂに対向してスピーカ４２ａ、４２ｂが取り付けられている。また、図３には示されていないが、スピーカ４２ａ、４２ｂの間に上述の表示窓８が位置しており、液晶表示ユニット４３がその表示面を表示窓８に向けて取り付けられている。更に、液晶表示ユニット４３の裏面側に、電気回路基板で形成されたサブ制御基板４０が取り付けられている。
【００３７】
なお、スロットマシン１全体の動作は、筐体２側に設けられている主制御基板３０によって統括制御されており、サブ制御基板４０は、液晶表示ユニット４３による演出映像の表示制御、照明部６、１２ａ、１２ｂを使った照明制御、及び放音部７ａ、７ｂ、２１を使った演出効果音制御など、ゲームの演出に係る制御を主に行っている。
【００３８】
サブ制御基板４０の下方には、リール１０ａ、１０ｂ、１０ｃを目視させるための表示窓９が形成されたパネル板が配置され、表示窓９の下方には、ストップボタン１６ａ、１６ｂ、１６ｃ等の操作スイッチ類の出力信号を主制御基板３０へ転送する中継基板として機能する中央表示基板４４が設けられている。
【００３９】
中央表示基板４４の下方には、メダル選別装置４５が取り付けられている。メダル選別装置４５は、後述するように、メダル投入部１３に投入されたメダルの適否を判別する。なお、メダル選別装置４５の下方には、メダル選別装置４５により振り分けられた正規のメダルを筐体２内に設けられているホッパ装置３１へ案内するガイド部材４６と、メダル選別装置４５により排除されたメダル（又は異物）をメダル排出口１９へ案内するガイド部材４７が設けられている。また、前扉３の裏面側下部には、ホッパ装置３１から排出されたメダルをメダル排出口１９へ案内するガイド部材４８が設けられている。更に、メダル排出口１９に隣接して、上述した放音部２１に対向するスピーカ４９が取り付けられている。
【００４０】
かかる構成のスロットマシン１は、先のゲームにおいて入賞しメダルの払い出しが完了した時、又は先のゲームにおいてハズレが確定すると待機状態となる。この待機状態において、遊技者がメダル投入部１３にメダルを投入しベットボタン１４を押圧操作することで、内部に貯留したメダル（クレジット）から当該ゲームにメダルが賭けられゲーム開始の状態となる。
【００４１】
ゲーム開始の状態でスタートレバー１５がオン操作されると、主制御基板３０は、３個のリール１０ａ、１０ｂ、１０ｃを一斉に回転させ始める。同時に入賞役を内部抽選し、その結果、入賞役に当選するとその役に対応するフラグを記憶する。
【００４２】
次に、遊技者がストップボタン１６ａ、１６ｂ、１６ｃを任意の順番でオン操作すると、主制御基板３０は、それに従い順次各リールを停止させる制御を行う。そして、全てのリール１０ａ、１０ｂ、１０ｃが停止したことを検知すると、各リールが表示する図柄と上述のフラグに対応する入賞役に係る図柄の組み合せとが一致しているかどうか判定する。
【００４３】
例えば、ベットボタン１４が押圧操作されることで当該ゲームに３枚のメダルが賭けられた場合、表示窓９を通して目視される９個の図柄のうち、上中下段の横３列の線上に並んだ３組の図柄と、右斜めと左斜め方向の２本の対角線上に並んだ２組の図柄を調べ、何れか１つの組の図柄が上述のフラグに対応する入賞役の図柄組み合せ条件を満足して揃うと当該役へ入賞したと判定する。役への入賞が確定すると、当該役の種類に応じて予め決められた配当数のメダルをクレジット数に加算するか、又はホッパ装置３１を駆動して配当数のメダルを受け皿２０へ払い出す。
【００４４】
次に、上記スロットマシン１に搭載されるメダル選別装置４５を説明する。図４は、メダル選別装置４５の構造を表す正面図である。同図において、メダル選別装置４５は、硬質プラスチック等の合成樹脂で一体的に形成された矩形状のケース１０１と、当該ケース１０１に対して開閉可能に取り付けられケース１０１の略上半分を覆う金属板から形成されるゲートプレート１０２と、合成樹脂で形成されケース１０１の略下半分を開閉可能に覆うカバー１０３とを備え構成されている。
【００４５】
図５は、ケース１０１の構造を表す正面図であってゲートプレート１０２を取り外した状態を示している。同図において、ケース１０１内側の壁面は、略上半分の領域を占める案内面部１０１ａと、案内面部１０１ａ下端の斜めの折曲部１０１ｃから左下奥へ向かう勾配を有する傾斜面部１０１ｂとを有して形成されている。
【００４６】
ゲートプレート１０２は、その右方端部においてケース１０１に軸支され、この軸部に巻回されたコイルバネ１０４によって、常時、ケース１０１側へ付勢されている。ゲートプレート１０２がケース１０１の案内面部１０１ａと対向することで、ゲートプレート１０２の背面とケース１０１の案内面部１０１ａとの間隙に、メダル入口１０５、及びメダル入口１０５から右下方のメダル出口１０７へ向かうメダル案内通路１０６が形成されている。
【００４７】
上記メダル案内通路１０６においては、ゲートプレート１０２の下端部分がケース１０１側へ向けて折り曲げられて直線状の転送レール部１０２ａが形成されている。転送レール部１０２ａは、ケース１０１の折曲部１０１ｃと平行し、且つ、折曲部１０１ｃよりも若干下方に位置している。これにより、転送レール部１０２ａとケース１０１の傾斜面部１０１ｂとの間に隙間が生じ、メダル排除口１０８が形成されている。
【００４８】
メダル案内通路１０６の上流側には、メダル入口１０５に投入されたメダルが正規のものか否かを判別するセレクト機構１１２が設けられている。より詳細には、セレクト機構１１２は、規定以上の外径を有するメダルを排除する最大径規制手段と、規定以上の厚みを有するメダルを排除する板厚規制手段と、規定以下の外径を有するメダルを排除する最小径規制手段とを備え構成されている。
【００４９】
最大径規制手段は、メダル入口１０５付近において、ゲートプレート１０２の背面からケース１０１の案内面部１０１ａへ向けて突設された一対の外径規制爪１２１ａ、１２１ｂから形成されている。外径規制爪１２１ａ、１２１ｂの間隔は、正規のメダルの外径にその寸法公差を考慮した最大外径相当の幅に設定されている。このため、規定以上の外径を有するメダルが最大径規制手段に投入されると、外径規制爪１２１ａ、１２１ｂによって下方への落下が阻止される。
【００５０】
板厚規制手段は、ケース１０１の案内面部１０１ａに設けられゲートプレート１０２側へ突出するシックネススクリュ１２２から形成されている。シックネススクリュ１２２の先端からゲートプレート１０２の背面までの間隙は正規のメダルの最大厚さに設定されている。このため、規定以上の厚みを有するメダルが板厚規制手段に投入されると、シックネススクリュ１２２により下方への落下が阻止される。
【００５１】
最小径規制手段は、ケース１０１の背面側において回動自在に軸支された合成樹脂製の押付けレバー１２３と、メダル案内通路１０６に沿ってゲートプレート１０２に形成された切欠き１２５と、切欠き１２５が形成された部分の側壁であって図面手前側（メダルの転送方向に対して外方側）に傾斜する傾斜壁部１２８とから主に形成されている。上記押付けレバー１２３は、図示しないコイルバネ（１２４）により常時付勢され、ケース１０１に形成された開口１３１を通して上記切欠き１２５側へ突出している。また、上記切欠き１２５は、転送レール部１０２ａからその上縁までの高さが正規のメダルの外径からその寸法公差を考慮した最小外径相当の長さに形成されている。このため、規定以下の外径を有するメダルが最小径規制手段に投入されると、押付けレバー１２３により当該メダルが傾斜壁部１２８へ倒され、転送レール部１０２ａとケース１０１の傾斜面部１０１ｂとの隙間に形成されたメダル排除口１０８から当該メダルを落下させて排除するように構成されている。
【００５２】
ゲートプレート１０２のメダル入口１０５付近には、速度緩和機構１５０が設けられている。速度緩和機構１５０は、ゲートプレート１０２の壁面に沿って回動自在に軸支された金属製のスイングレバー１５１と、スイングレバー１５１を右回転方向へ常時付勢するコイルバネとを備え構成されている。スイングレバー１５１の先端部分はケース１０１の案内面部１０１ａ側へ折り曲げられ、ゲートプレート１０２に形成された開口を通してメダル案内通路１０６内まで突出している。すなわち、セレクト機構１１２内のメダル案内通路１０６を落下するメダルに対してスイングレバー１５１の先端部分が衝突し、スイングレバー１５１が当該メダルと当接しながら上記コイルバネの付勢力に抗して左回転することで、当該メダルの落下速度を緩和するように構成されている。
【００５３】
メダル案内通路１０６の中流部分には、メダル案内通路１０６により転送されるメダルをメダル排除口１０８から落下させて強制的に排除する機能を有するゲート機構１１３が設けられている。このゲート機構１１３は、ケース１０１の背面側に固着された略Ｌ字形状のプレート部材１３５の先端に回動自在に支承されコイルバネ１３６の引張り力によりその先端である規制爪部１３４がメダル案内通路１０６内へ突出する側へ常時付勢された金属製のブロッカプレート１３３と、主制御基板３０からの制御信号に従ってオンオフし、オンすることで生じる磁力により上記ブロッカプレート１３３を引き付けその規制爪部１３４をメダル案内通路１０６から退避させるソレノイド１３７と、ゲートプレート１０２に対して回動自在に軸支されその軸部に巻回されたコイルバネ１２７によって常時ブロッカプレート１３３側へ付勢される合成樹脂製の案内レバー１２６とを備え構成されている。なお、ソレノイド１３７は、プレート部材１３５を介してケース１０１の背面側に取り付けられている。
【００５４】
スロットマシン１が電源オフの時、又は遊技が進行中で新たなメダルの受け付けを禁止する状態においては、ソレノイド１３７はオフの状態にあり、ブロッカプレート１３３の規制爪部１３４がケース１０１に形成された開口１３２を通してメダル案内通路１０６内へ突出している。同時に案内レバー１２６は、コイルバネ１２７の付勢力によりブロッカプレート１３３に当接すると共に、ブロッカプレート１３３の付勢力に負けてメダル案内通路１０６の外方側の回動位置に押し出され静止している。この状態において、メダルがゲート機構１１３に投入されると、当該メダルはブロッカプレート１３３の規制爪部１３４に衝突してゲートプレート１０２の傾斜壁部１２８へ倒され、転送レール部１０２ａから脱落する。これにより、当該メダルはメダル排除口１０８を介して下方へ排除される。
【００５５】
メダル案内通路１０６の下流部分には、メダルの通過を検出するメダル検出部１１４が設けられている。メダル検出部１１４は、ケース１０１の案内面部１０１ａに形成された開口１３８に反射式のフォトセンサ１３９が取り付けられて形成されている。すなわち、メダル検出部１１４は、上記ゲート機構１１３により通されたメダルがフォトセンサ１３９の前面を横切ると、メダル検出信号を主制御基板３０へ送出する。そして、主制御基板３０は、メダル検出部１１４からの上記メダル検出信号をカウントすることでスロットマシン１のメダル投入部１３に投入された正規メダルの枚数を知ることができる。
【００５６】
次に、メダル選別装置４５に係る動作を説明し、併せてその構成を更に詳細に説明する。図６は、メダル選別装置４５の正面図であって動作を説明するための図である。
【００５７】
図６において、スロットマシン１のメダル投入部１３にメダルが投入されると、当該メダルはメダル選別装置４５のメダル入口１０５へ案内される。メダル入口１０５からメダル選別装置４５内部のメダル案内通路１０６へ案内されたメダルＭ１は、セレクト機構１１２において、一対の外径規制爪１２１ａ、１２１ｂからなる最大径規制手段、及びシックネススクリュ１２２からなる板厚規制手段を経由することにより、一定以下の外径及び厚みを有するメダルのみが次段の最小径規制手段へと落下する。このとき、速度緩和機構１５０のスイングレバー１５１の先端がメダルＭ１に当接しながら回動することで、セレクト機構１１２を落下するメダルＭ１の速度が緩和される。
【００５８】
図７は、図６において示すＡ−Ａ線に沿うセレクト機構１１２の最小径規制手段の構造を表す断面図である。また、図８（ａ）は、正規のメダルが投入された場合の最小径規制手段の動作を説明するための断面図、図８（ｂ）は、正規のメダルよりも小さな外径のメダルが投入された場合の最小径規制手段の動作を説明するための断面図である。
【００５９】
図７において、最小径規制手段は、上述したように押付けレバー１２３がケース１０１の背面側において回動自在に軸支されると共に、コイルバネ１２４に付勢されて押付けレバー１２３の先端部分がケース１０１に形成された開口１３１を通してゲートプレート１０２の切欠き１２５側へ突出している。
【００６０】
メダル入口１０５から投入されたメダルＭ２は、最小径規制手段へ落下し、図８（ａ）に示されるように、押付けレバー１２３の付勢力によりゲートプレート１０２側へ押し付けられる。ゲートプレート１０２の転送レール部１０２ａから切欠き１２５の上縁までの高さは正規のメダルの外径よりも若干短く形成されているので、正規の外径を有するメダルＭ２は押付けレバー１２３とゲートプレート１０２により挟まれながら転送レール部１０２ａを流下する。
【００６１】
一方、図８（ｂ）に示されるように、最小径規制手段に正規のメダルよりも小さい外径を有するメダルＭ３（異物）が投入されると、ゲートプレート１０２の切欠き１２５の上縁がメダルＭ３の外径よりも高く位置しているので、メダルＭ３は押付けレバー１２３によりゲートプレート１０２の傾斜壁部１２８へ倒される。また、メダル排除口１０８を形成する折曲部１０１ｃは転送レール部１０２ａよりも若干高く位置しているので、押付けレバー１２３によって倒されたメダルＭ３は転送レール部１０２ａから脱落する。これにより、メダルＭ３はメダル排除口１０８を介して下方へ排除される。
【００６２】
上記セレクト機構１１２を通過したメダルＭ２は、転送レール部１０２ａを流下してゲート機構１１３へ進入する。
【００６３】
ここで、ゲート機構１１３は、主制御基板３０からの制御信号に従ってメダル案内通路１０６を流下するメダルＭ２をメダル検出部１１４側へ通過させるメダル受付許可状態と、メダルＭ２をメダル排除口１０８から落下させて排除するメダル受付禁止状態とに遷移する。
【００６４】
まず、メダル受付許可状態における動作を説明する。図９及び図１０は、図６において示すＢ−Ｂ線に沿う断面図であって、メダル受付許可状態にあるゲート機構１１３の主要構造を表す断面図である。
【００６５】
図９及び図１０において、ゲート機構１１３がメダル受付許可状態にあるときには、ソレノイド１３７がオンし、その磁力によってブロッカプレート１３３が引き付けられ、ブロッカプレート１３３の先端に形成されている規制爪部１３４がメダル案内通路１０６から退避している。同時に、コイルバネ１２７により常時付勢されている案内レバー１２６は、ケース１０１に向けて延出する位置決めピン１２６ｂがケース１０１の案内面部１０１ａに当接し、ゲートプレート１０２に対してほぼ平行する回動位置に静止している。すなわち、メダル受付許可状態においては、ゲートプレート１０２の切欠き部分が案内レバー１２６で閉塞されるので、ゲート機構１１３に進入したメダルＭ４は、ケース１０１の案内面部１０１ａと案内レバー１２６とにより案内されながらゲート機構１１３を通過し、次段のメダル検出部１１４へ流下する。
【００６６】
次に、メダル受付禁止状態におけるゲート機構１１３の動作を説明する。図１１及び図１２は、図６において示すＢ−Ｂ線に沿う断面図であって、メダル受付禁止状態にあるゲート機構１１３の主要構造を表す断面図である。また、図１３は、図１１に示す矢印Ｃ位置で切断した部分断面図である（但し、構造の理解を助ける都合上、案内レバー１２６がゲートプレート１０２に対して直交する回動位置にある状態を示している）。
【００６７】
図１１及び図１２において、ゲート機構１１３がメダル受付禁止状態にあるときには、ソレノイド１３７がオフし、コイルバネ１３６の引張り力によってブロッカプレート１３３先端の規制爪部１３４はメダル案内通路１０６内へ突出している。また、案内レバー１２６は、ブロッカプレート１３３へ向けて延出する当接ピン１２６ａが当該ブロッカプレート１３３と当接しながらゲートプレート１０２の外方側へ押し出され、ブロッカプレート１３３の切欠き部分を開放する回動位置に静止している。
【００６８】
なお、図１３に示されるように、規制爪部１３４は、メダル案内通路１０６の上流側隅部が斜めに切除された形状に形成されている。このため、メダル案内通路１０６内へ突出する規制爪部１３４にメダルＭ５が衝突すると、当該メダルＭ５はゲートプレート１０２の開放された傾斜面部１２８へ倒される。そして、図１２に示されるように、傾斜面部１２８へ倒されたメダルＭ５は、折曲部１０１ｃと転送レール部１０２ａとの高低差により形成されるメダル排除口１０８から下方へ落下する。
【００６９】
次に、図６に示されるように、メダル受付許可時にゲート機構１１３を通過したメダルＭ４は、メダル検出部１１４を横切ってメダル出口１０７へ到達し、上述したホッパ装置３１へ案内され貯留される。
【００７０】
メダル検出部１１４を構成するフォトセンサ１３９は発光素子と受光素子とを備え、メダルＭ４が前方を横切ると、発光素子が発光したセンシング光がメダルＭ４で反射されこれを受光素子が受光して検出信号を送出する。そして、主制御基板３０は、メダル検出部１１４からの検出信号を正規のメダルが投入されたことを示すメダル検出信号として受信し、これをカウントして内部貯留しているメダル数であるクレジット数に加算する。
【００７１】
本発明に係るスロットマシン１には、いわゆるゴト行為等の不正行為を検知し防止するための監視装置が備えられており、以下これを説明する。
【００７２】
図１４は、本監視装置に係る制御ブロック図である。スロットマシン１の主制御基板３０には、判別手段１７１と、判別手段１７１によって制御される時間計測手段１７２と、判別手段１７１の結果によって制御される異常処理手段１７３及びクレジット管理手段１７４が備えられている。
【００７３】
判別手段１７１は、上記メダル選別装置４５のメダル検出部１１４から検出信号（メダル検出信号）を入力し、この検出信号と時間計測手段１７２の計測結果に基づいて上記検出信号が実際のメダルの投入によるものか、又は不正行為等による偽のメダル検出信号かを判別する。
【００７４】
そして判別手段１７１は、メダル検出部１１４からの検出信号が実際のメダルの投入によるものと判別した場合、クレジット管理手段１７４を制御して、検出信号をカウントした数、つまり実際に投入されたメダルの数をクレジット数に加算させる。
【００７５】
一方、メダル検出部１１４からの検出信号が不正行為等によるものと判別手段１７１が判別した場合、異常処理手段１７３に異常検知信号を送出して所定の異常処理を実行させる。異常処理手段１７３は、判別手段１７１から上記異常検知信号を受信したとき、報知手段１７５に異常の発生を報知させる。報知手段１７５は、具体的には、例えばスロットマシン１の前扉３に設けられている照明部６、１２ａ、１２ｂ又は放音部７ａ、７ｂ、２１であり、異常処理手段１７３はこれら照明部等を駆動して光又は音声による異常報知を行う。また、異常処理手段１７３は、遊技場内の「ホールコンピュータ」と呼ばれる管理用コンピュータへ異常報知信号を送出し当該遊技場の管理者等に不正行為の発生を報知してもよい。また、異常処理手段１７３は、判別手段１７１から異常検知信号を受信したとき、スロットマシン１の遊技動作を停止させる処理を実行するものであってもよい。
【００７６】
次に、メダル検出部１１４からのメダル検出信号の正否を上記判別手段１７１が判別する具体的な判別方法を説明する。この判別方法の第１の例としては、一定時間内に一定以上のメダル投入を検出したときに異常を検知するものである。
【００７７】
スロットマシン１に投入されるメダルは、上述したようにメダル選別装置４５の速度緩和機構１５０及びセレクト機構１１２等の機構を経由してメダル検出部１１４へと案内される。すなわち、メダル検出部１１４を通過するメダルはこれらの機構を経由することによって転送速度が制限されるため、実際のメダル投入においては、時間当たりに受け付け可能なメダル数に機構上の上限が存在する。
【００７８】
本実施形態では、スロットマシン１に対し現実的に投入可能なメダル数の上限を１秒間に３枚までとし、仮に１秒間に４枚以上のメダル検出があったとき異常を検知する例について以下説明する。
【００７９】
図１５は、この第１の判別方法を具体的に表すフローチャートである。判別手段１７１は、メダル選別装置４５のメダル検出部１１４が送出する最初のメダル検出信号を受信すると（ステップＳ１０１：ＹＥＳ）、時間計測手段１７２を制御して時間の計測を開始する（ステップＳ１０２）。なお図示はしていないが、このときメダル検出数Ｎと呼ぶ内部変数に１を設定する。
【００８０】
規定時間Ｔａ（例えば１秒）経過前に（ステップＳ１０３：ＮＯ）、次のメダル検出信号を受信すると（ステップＳ１０４：ＹＥＳ）、メダル検出数Ｎをインクリメントする（ステップＳ１０５）。そして、インクリメントされたメダル検出数Ｎが規定値Ｃ（例えばＣ＝４）よりも小さければ（ステップＳ１０６：ＮＯ）、ステップＳ１０３からの処理である次のメダル検出待ちの状態へ戻る。
【００８１】
メダル検出数Ｎが規定値Ｃに達する前に、ステップＳ１０２において計測を開始した時間が規定時間Ｔａを過ぎると（ステップＳ１０３：ＹＥＳ）、判別手段１７１は、メダル検出が実際のメダルの投入によるものと判別し、時間計測を終了させ（ステップＳ１０７）、クレジット管理手段１７４を制御してメダル検出数Ｎが示す数をクレジット数に加算させる（ステップＳ１０８）。そして、ステップＳ１０１からの処理である新たなメダル検出信号の受信待ち（メダル投入待ち）の状態へ戻る。
【００８２】
計測開始からの時間が規定時間Ｔａを過ぎる前にメダル検出数Ｎが規定値Ｃに達した場合（ステップＳ１０６：ＹＥＳ）、判別手段１７１は、これまでのメダル検出が不正行為等によって擬似的になされたものと判別し、異常処理手段１７３へ異常検知信号を送出して上述した報知等の異常処理を実行させる（ステップＳ１０９）。
【００８３】
次に、判別手段１７１がメダル検出信号の正否を判別する第２の判別方法を説明する。この判別方法は、一定時間内に連続して２枚以上のメダル投入を検出したときに異常を検知するものである。本実施形態では、スロットマシン１に対して現実的に投入可能なメダル枚数が１秒間に３枚までであるとし、規定時間である３００ｍｓｅｃ以内に連続して２回のメダル検出があったとき異常として検知する例について説明する。
【００８４】
図１６は、この第２の判別方法を表すフローチャートである。判別手段１７１は、メダル選別装置４５のメダル検出部１１４が送出する最初のメダル検出信号を受信すると（ステップＳ２０１：ＹＥＳ）、時間計測手段１７２を制御して時間の計測を開始する（ステップＳ２０２）。
【００８５】
次のメダル検出信号を受信する前に、ステップＳ２０２において計測を開始した時間が規定時間Ｔｂ（例えば３００ｍｓｅｃ）を過ぎると（ステップＳ２０３：ＹＥＳ）、判別手段１７１は、先のメダル検出が実際のメダルの投入によるものと判別し、時間計測を終了させ（ステップＳ２０４）、クレジット管理手段１７４を制御してクレジット数をメダル１枚分加算させる（ステップＳ２０５）。そして、ステップＳ２０１からの処理である新たなメダル検出信号の受信待ちの状態へ戻る。
【００８６】
規定時間Ｔｂ経過前に（ステップＳ２０３：ＮＯ）、次のメダル検出信号を受信すると（ステップＳ２０６：ＹＥＳ）、判別手段１７１は、これらメダルの検出が不正行為等によって擬似的になされたものと判別し、異常処理手段１７３へ異常検知信号を送出して上述した報知等の異常処理を実行させる（ステップＳ２０７）。
【００８７】
かかる構成のスロットマシン１によれば、投入されるメダルの数を監視する監視装置が設けられ、スロットマシン１に対して一定時間内に現実的には投入不可能な数のメダル検出信号を検出したとき、これを異常として検知する。これにより、不正行為具等によって擬似的にメダル検出信号を作り出す不正行為を迅速に検知して、例えばホールの管理者等へ報知することができる。したがって、かかる不正行為に対する迅速な対応処置が可能となり、ひいてはホールの損害を低く抑えることができる。
【産業上の利用可能性】
【００８８】
本発明は、スロットマシンに限らず、パチンコ機、予想当てゲーム機、シューティングゲーム機その他の遊技機であって、投入されたメダルを検出し電子的に内部貯留する遊技機全般に応用することができる。また、遊技に用いられる遊技媒体としては、メダルのみならず、硬貨、代用硬貨（トークン）等の遊技媒体であってもよい。
【図面の簡単な説明】
【００８９】
【図１】図１は、従来のメダル選別装置の構造を表す正面図である。
【図２】図２は、本発明の一実施形態によるスロットマシンの外観構造を表した斜視図である。
【図３】図３は、本発明の一実施形態によるスロットマシンの内部構造を表した図である。
【図４】図４は、本発明の一実施形態によるメダル選別装置の構造を表す正面図である。
【図５】図５は、本発明の一実施形態によるメダル選別装置のゲートプレートを取り外した状態でのケースの構造を表す正面図である。
【図６】図６は、本発明の一実施形態によるメダル選別装置の正面図であって、その動作を説明するための図である。
【図７】図７は、図６において示すＡ−Ａ線に沿う断面図であって、最小径規制手段の構造を表す図である。
【図８】図８（ａ）は、図６において示すＡ−Ａ線に沿う断面図であって、正規のメダルが投入された場合における最小径規制手段の動作を説明する図であり、図８（ｂ）は、規定外径より小さいメダルが投入された場合における最小径規制手段の動作を説明する図である。
【図９】図９は、図６において示すＢ−Ｂ線に沿う断面図であって、メダル受付許可状態にあるゲート機構の構造を表す図である。
【図１０】図１０は、図６において示すＢ−Ｂ線に沿う断面図であって、メダル受付許可状態にあるゲート機構の構造を更に表す図である。
【図１１】図１１は、図６において示すＢ−Ｂ線に沿う断面図であって、メダル受付禁止状態にあるゲート機構の構造を表す図である。
【図１２】図１２は、図６において示すＢ−Ｂ線に沿う断面図であって、メダル受付禁止状態にあるゲート機構の構造を更に表す図である。
【図１３】図１３は、図１１に示す矢印Ｃ位置で切断した部分断面図であって、メダル受付禁止状態にあるゲート機構の構造を更に表す図である。
【図１４】図１４は、本発明の一実施形態による監視装置に係る制御ブロック図である。
【図１５】図１５は、本発明の一実施形態による判別手段が実行するメダル検出信号の正否を判別する第１の方法を表すフローチャートである。
【図１６】図１６は、本発明の一実施形態による判別手段が実行するメダル検出信号の正否を判別する第２の方法を表すフローチャートである。
【符号の説明】
【００９０】
１…  スロットマシン、  ２…筐体、  ３…前扉、
６…照明部、  ７ａ、７ｂ…放音部、
１０ａ、１０ｂ、１０ｃ…リール、
１２ａ、１２ｂ…照明部、  １３…メダル投入部、
１４…ベットボタン、  １５…スタートレバー、
１６ａ、１６ｂ、１６ｃ…ストップボタン、
１９…メダル排出口、  ２０…受け皿、  ２１…放音部、
３０…主制御基板、  ３１…ホッパ装置、
４０…サブ制御基板、  ４１…発光ダイオード、
４２ａ、４２ｂ…スピーカ、  ４３…液晶表示ユニット、
４５…メダル選別装置、  ４９…スピーカ、
１０１…ケース、
１０１ａ…案内面部、  １０１ｂ…傾斜面部、  １０１ｃ…折曲部、
１０２…ゲートプレート、  １０２ａ…転送レール部、
１０３…カバー、  １０４…コイルバネ、
１０５…メダル入口、  １０６…メダル案内通路、
１０７…メダル出口、  １０８…メダル排除口、
１１２…セレクト機構、  １１３…ゲート機構、
１１４…メダル検出部、  １２１ａ、ｂ…外径規制爪、
１２２…シックネススクリュ、  １２３…押付けレバー、
１２４…コイルバネ、  １２５…切欠き、  １２６…案内レバー、
１２６ａ…当接ピン、  １２６ｂ…位置決めピン、
１２６ｃ…遮光片、  １２７…コイルバネ、
１２８…傾斜壁部、  １３１、１３２…開口、
１３３…ブロッカプレート、  １３４…規制爪部、
１３５…プレート部材、  １３５ａ…突起部、
１３６…コイルバネ、  １３７…ソレノイド、
１３８…開口、  １３９…フォトセンサ、
１５０…速度緩和機構、  １５１…スイングレバー、
１７１…判別手段、  １７２…時間計測手段、
１７３…異常処理手段、  １７４…クレジット管理手段、
１７５…報知手段
【図１】
2005296271.tif 000003
【図２】
2005296271.tif 000004
【図３】
2005296271.tif 000005
【図４】
2005296271.tif 000006
【図５】
2005296271.tif 000007
【図６】
2005296271.tif 000008
【図７】
2005296271.tif 000009
【図８】
2005296271.tif 000010
【図９】
2005296271.tif 000011
【図１０】
2005296271.tif 000012
【図１１】
2005296271.tif 000013
【図１２】
2005296271.tif 000014
【図１３】
2005296271.tif 000015
【図１４】
2005296271.tif 000016
【図１５】
2005296271.tif 000017
【図１６】
2005296271.tif 000018